(57)【要約】      （修正有）【課題】デザイン性に優れたレコード盤を提供する。【解決手段】レコード盤１であって、レコード盤１を構成する円盤状の透明な基材１０を有し、基材１０の第１面１０ａには音溝１０２が形成され、基材１０の第１面１０ａとは反対側の第２面１０ｂは平面であり、第２面１０ｂ上に第１印刷層２０が形成され、第１印刷層２０上に第２印刷層３０が形成されている。【選択図】図１
0003219398.tif 000002
【実用新案登録請求の範囲】
【請求項１】
レコード盤であって、
前記レコード盤を構成する円盤状の透明な基材を有し、
前記基材の第１面には音溝が形成され、
前記基材の前記第１面とは反対側の第２面は平面であり、
前記第２面上に第１印刷層が形成され、前記第１印刷層上に第２印刷層が形成されていることを特徴とするレコード盤。
【請求項２】
前記第１印刷層は、前記第１面の側から視認可能な第１印刷面を含み、
前記第２印刷層は、前記第２面の側から視認可能な第２印刷面を含むことを特徴とする請求項１に記載のレコード盤。
【請求項３】
前記第１印刷層と前記第２印刷層とを分離する分離層を更に有することを特徴とする請求項１又は２に記載のレコード盤。
【請求項４】
前記第１印刷層は、前記第２面に対する、インクジェットプリンタによるダイレクト印刷によって形成され、
前記第２印刷層は、前記第１印刷層に対する、インクジェットプリンタによるダイレクト印刷によって形成されていることを特徴とする請求項２又は３に記載のレコード盤。
【請求項５】
前記第１印刷層は、前記第１印刷面を含む第１シールで構成され、
前記第２印刷層は、前記第２印刷面を含む第２シールで構成されていることを特徴とする請求項２に記載のレコード盤。
【請求項６】
前記基材は、８ｃｍの直径を有することを特徴とする請求項１乃至５のうちいずれか１項に記載のレコード盤。
【請求項７】
前記基材は、スチロール樹脂で構成されていることを特徴とする請求項１乃至６のうちいずれか１項に記載のレコード盤。
【考案の詳細な説明】
【技術分野】
【０００１】
本発明は、レコード盤に関する。
【背景技術】
【０００２】
スマートフォンなどの携帯情報端末の普及により、音楽メディアでは、ダウンロードやストリーミングが主流となる一方、近年では、ジャケットのデザイン性などが注目され、レコード盤が復活してきている。レコード盤は、一般的に、ＬＰと呼ばれる直径３０ｃｍのレコード盤と、ＥＰと呼ばれる直径１７ｃｍのレコード盤とに大別される（特許文献１参照）。また、レコード盤の派生として、直径８ｃｍのレコード盤も存在する。
【先行技術文献】
【特許文献】
【０００３】
【特許文献１】特開２０１７−１２６３９１号公報
【考案の概要】
【考案が解決しようとする課題】
【０００４】
しかしながら、レコード盤には、一般的に、音楽再生用の溝（音溝）がレコード盤の両面に設けられており、レコード盤自体のデザイン性を高めようとしても盤面の中央にレーベルを貼り付ける程度しかできないため、デザイン性に乏しい面がある。これは、一般的なレコード盤よりも小さい直径８ｃｍのレコード盤で顕著となる。
本考案は、このような従来技術の課題に鑑みてなされ、デザイン性に優れたレコード盤を提供することを例示的目的とする。
【課題を解決するための手段】
【０００５】
上記目的を達成するために、本考案の一側面としてのレコード盤は、前記レコード盤を構成する円盤状の透明な基材を有し、前記基材の第１面には音溝が形成され、前記基材の前記第１面とは反対側の第２面は平面であり、前記第２面上に第１印刷層が形成され、前記第１印刷層上に第２印刷層が形成されていることを特徴とする。
本考案の更なる目的又はその他の側面は、以下、添付図面を参照して説明される好ましい実施形態によって明らかにされるであろう。
【考案の効果】
【０００６】
本考案によれば、例えば、デザイン性に優れたレコード盤を提供することができる。
【図面の簡単な説明】
【０００７】
【図１】本考案の一側面としてのレコード盤の構成を示す概略図である。
【図２】図１に示すレコード盤の平面図である。
【図３】本考案の一側面としてのレコード盤の断面図である。
【考案を実施するための形態】
【０００８】
以下、添付図面を参照して、本考案の好適な実施の形態について説明する。なお、各図において、同一の部材については同一の参照番号を付し、重複する説明は省略する。
【０００９】
図１は、本考案の一側面としてのレコード盤１の構成を示す概略図であって、図１（ａ）は、レコード盤１の断面図であり、図１（ｂ）は、レコード盤１の斜視図である。レコード盤１は、音楽や音声などの音情報（データ）が記録（録音）されたメディアである。レコード盤１には、その中心に、レコード盤１に記録された音情報を再生するためのレコードプレーヤ装置に対して位置決めの基準となる貫通孔ＴＨが設けられている。
【００１０】
レコード盤１は、本実施形態では、レコード盤１（レコード盤本体）を構成する円盤状の透明な基材１０を有する。ここで、「透明」とは、本実施形態では、実質的に透明であることを意味し、例えば、半透明（一方の面から他方の面を見て透けている状態）なども含む。以下では、このような実質的な透明を含むものとして「透明」を使用する。基材１０は、具体的には、スチロール樹脂で構成され、８ｃｍの直径を有する。
【００１１】
基材１０の第１面１０ａには、レコードプレーヤ装置で再生する音情報、即ち、音楽再生用の溝（以下、「音溝」と称する）１０２が形成されている。また、基材１０の第１面１０ａには、貫通孔ＴＨを取り囲むように、レコード盤１の種々の情報を示す円環状のレーベルが貼り付けられていてもよい。一方、基材１０の第１面１０ａとは反対側の第２面１０ｂには、音溝１０２が形成されておらず、基材１０の第２面１０ｂは平面である。基材１０は、第１面１０ａに音溝１０２を形成するための凸部を有する第１スタンパと、第２面１０ｂを平面にするための平坦部を有する第２スタンパとを含むスタンパ（金型）を用いて、透明な材料をプレスすることによって製造される。
【００１２】
また、図１（ａ）に示すように、基材１０の第２面上には、第１印刷層２０が形成され、第１印刷層上には、第２印刷層３０が形成されている。第１印刷層２０は、基材１０の第２面１０ｂの全面に形成された第１印刷面２０２を有し、第２印刷層３０は、第１印刷層２０の全面又は一部に形成された第２印刷面３０２を有する。第１印刷面２０２及び第２印刷面３０２のそれぞれは、例えば、文字、数字、模様、絵（写真）などを含む、デザイン性を有する図柄で構成されている。ここで、上述したように、本実施形態では、基材１０が透明な材料で構成されているため、図２（ａ）に示すように、基材１０の第２面上に設けられた第１印刷層２０の第１印刷面２０２を、基材１０の第１面１０ａの側から視認することができる（即ち、第１印刷面２０２に構成されたデザイン性を有する図柄を視認可能である）。なお、本実施形態では、第１印刷面２０２は、アルファベット文字の「Ａ」、「Ｂ」、「Ｃ」及び「Ｄ」で構成されているが、これに限定されるものでではない。一方、図２（ｂ）に示すように、第１印刷層上に設けられた第２印刷層３０の第２印刷面３０２は、第１印刷層２０が存在するため、基材１０の第１面１０ａの側から視認することはできず、基材１０の第２面１０ｂの側から視認することができる（即ち、第２印刷面３０２に構成されたデザイン性を有する図柄は、基材１０の第２面１０ｂの側から視認可能である）。なお、本実施形態では、第２印刷面３０２は、アルファベット文字の「Ｅ」、「Ｆ」、「Ｇ」及び「Ｈ」で構成されているが、これに限定されるものでではない。図２は、レコード盤１の平面図であって、図２（ａ）は、基材１０の第１面１０ａの側から見たレコード盤１（第１面１０ａの側から視認可能な第１印刷面２０２）を示し、図２（ｂ）は、基材１０の第２面１０ｂの側から見たレコード盤１（第２面１０ｂの側から視認可能な第２印刷面３０２）を示している。
【００１３】
第１印刷層２０は、例えば、基材１０の第２面１０ｂに対する、インクジェットプリンタによるダイレクト印刷によって形成されている。同様に、第２印刷層３０は、例えば、第１印刷層２０に対する、インクジェットプリンタによるダイレクト印刷によって形成されている。具体的には、インクジェットプリンタのヘッドに対して第２面１０ｂが対向するように基材１０を印刷台に固定し、基材１０（第２面１０ｂ）に対して、ヘッドからインクを吹き付けながらヘッドを相対的に移動させることによって、基材１０の第２面上に第１印刷層２０を形成する。そして、基材１０の第２面上に第１印刷層２０を定着（乾燥）させた後、第１印刷層２０に対して、再度、ヘッドからインクを吹き付けながらヘッドを相対的に移動させることによって、第１印刷層上に第２印刷層３０を形成する。なお、印刷台に対する基材１０の固定には、基材１０の形状と同じ形状の窪み又は孔を有する専用の治具が用いられる。また、印刷台に対して固定する基材１０の数は１つに限定されるものではなく、複数であってもよい（即ち、複数の基材１０に対して第１印刷層２０及び第２印刷層３０を一括して形成してもよい）。
【００１４】
なお、本実施形態では、第１印刷層２０及び第２印刷層３０をインクジェットプリンタによるダイレクト印刷によって形成する場合を例に説明したが、これに限定されるものではない。第１印刷層２０及び第２印刷層３０は、それぞれ、第１印刷面２０２を含む第１シール及び第２印刷面３０２を含む第２シールに置換することが可能である。この場合、基材１０の第２面上に第１シールを貼り付け、その後、第１シール上に第２シールを貼り付ければよい。
【００１５】
また、本実施形態では、第１印刷層２０が基材１０の第２面１０ｂの全面に形成される場合を例に説明したが、第１印刷層２０は、基材１０の第２面１０ｂの一部に形成されていてもよい。但し、この場合、第２印刷層３０（第２印刷面３０２）の一部は第１印刷層上に設けられていないことになるため、かかる第２印刷層３０の第２印刷面３０２の一部（第１印刷層２０が存在しない部分）が基材１０の第１面１０ａの側から視認可能になってしまう。このような場合には、図３に示すように、第１印刷層２０と第２印刷層３０との間に、第１印刷層２０と第２印刷層３０とを分離する分離層４０を更に設けるとよい。これにより、第１印刷層上に設けられた第２印刷層３０の第２印刷面３０２は、分離層４０が存在するため、基材１０の第１面１０ａの側から視認することができなくなる。なお、分離層４０は、必須なものではなく、第２印刷層３０の第２印刷面３０２の一部を、意図的に、基材１０の第１面１０ａの側から視認可能にしてもよい。また、第１印刷層２０が基材１０の第２面１０ｂの全面に形成される場合であっても、分離層４０を設けてもよい。図３は、本考案の一側面としてのレコード盤１の断面図である。
【００１６】
このように、本実施形態のレコード盤１では、透明な基材１０に対して、デザイン性を有する図柄で構成された第１印刷面２０２及び第２印刷面３０２をそれぞれ含む第１印刷層２０及び第２印刷層３０を設けることによって、基材１０の第１面１０ａの側から第１印刷面２０２を視認可能とし、基材１０の第２面１０ｂの側から第２印刷面３０２を視認可能としている。従って、本実施形態によれば、デザイン性に優れたレコード盤１を提供することができる。特に、８ｃｍの直径を有するレコード盤１であっても、レコード盤１の両面に、基材１０の第１面１０ａの側及び第２面１０ｂの側から視認可能なデザイン性を有する図柄を設けることができるため、十分なデザイン性を確保することができる。
【００１７】
以上、本考案の好ましい実施形態について説明したが、本考案はこれらの実施形態に限定されないことはいうまでもなく、その要旨の範囲内で種々の変形及び変更が可能である。
【符号の説明】
【００１８】
１：レコード盤    １０：基材    １０ａ：第１面    １０ｂ：第２面    １０２：音溝    ２０：第１印刷層    ２０２：第１印刷面    ３０：第２印刷層    ３０２：第２印刷面
【図１】
0003219398.tif 000003
【図２】
0003219398.tif 000004
【図３】
0003219398.tif 000005